(57)【特許請求の範囲】
【請求項１】
収納箱およびスタンド部を有する展示スタンドにおいて、
該スタンド部が、該収納箱を梱包した梱包箱を開梱後、該梱包箱の一部にミシン目で囲まれて区画された領域を組み立てて形成され、
前記梱包箱が、後面板の縦方向の相対する二辺に、縦側面板と縦天面板とがそれぞれ第一折り曲げ線を介して順次連接され、横方向の相対する二辺に、横側面板と横天面板とがそれぞれ第二折り曲げ線を介して順次連接され、
少なくとも該後面板の一部を含む領域に、前記スタンド部がミシン目線で囲まれて区画され、
該スタンド部が糊代部と脚部とを有し、
前記収納箱が、背面部と収納部とから形成され、
該スタンド部の糊代部と該収納箱の背面部とが貼合され、
前記スタンド部の脚部は、前記糊代部の縦方向の相対する二辺に、第三折り曲げ線および第四折り曲げ線を介して第一脚板、第二脚板がそれぞれ連接され、第一脚板には第五折り曲げ線を介して第三脚板が、第二脚板には第六折り曲げ線を介して第四脚板が、それぞれ外側に連接されてなり、
前記第六折り曲げ線の中央部近傍には、略コの字状の切れ線が形成され、
前記第三脚板の端縁中央部近傍には外側に、前記切れ線に適合した係止部が形成されていることを特徴とする展示スタンド。
【請求項２】
前記梱包箱には、さらに追加板が梱包されており、前記収納箱の背面部と該追加板が連結可能であることを特徴とする請求項１に記載の展示スタンド。
【請求項３】
前記収納箱の背面部は、一枚の背面板を折り曲げ部で折り畳んで形成されており、該折り曲げ部上に１もしくは複数のスリットが形成され、前記追加板には、該スリットに適合した連結部が形成されていることを特徴とする請求項２に記載の展示スタンド。
【請求項４】
前記糊代部は、縦方向の相対する二辺が、前記第三折り曲げ線および第四折り曲げ線、横方向の相対する二辺が第一ミシン目線および第二ミシン目線とで囲うように区画され、該第一ミシン目線の両端より、前記縦側面板を通過して前記縦天面板の上辺近傍の端縁まで達する第三ミシン目線がそれぞれ形成され、
該第二ミシン目線の両端より、前記縦側面板を通過して前記縦天面板の下辺近傍の端縁まで達する第四ミシン目線がそれぞれ形成され、
該第一ミシン目線とそれぞれの該第三ミシン目線の外側に第一切取り部が区画され、
該第二ミシン目線とそれぞれの該第四ミシン目線の外側に第二切取り部が区画され、
前記第三脚板および前記第四脚板の外側にミシン目線および前記係止部を介して、それぞれ第三切取り部、第四切取り部が区画されていることを特徴とする請求項３に記載の展示スタンド。
【請求項５】
前記第一折り曲げ線および前記第二折り曲げ線をそれぞれ山折りし、前記縦天面板および前記横天面板を閉鎖することで梱包箱が形成され、
前記展示スタンドは、
該梱包箱を開梱後、前記第一〜第四切取り部をそれぞれ取り除き、
前記第三〜第六折り曲げ線を収納箱が貼合されている側と反対方向に折り曲げ、前記第三脚板が前記第四脚板の上になるように重ね、前記係止部を前記コの字状の切れ線に挿入し係止して組み立て形成されることを特徴とする請求項４に記載の展示スタンド。
【請求項６】
前記梱包箱と前記収納箱とは、縦幅、横幅、奥行きが略同サイズであることを特徴とする請求項１〜５のいずれか１項に記載の展示スタンド。
【請求項７】
前記梱包箱、前記収納箱が紙系材料からなることを特徴とする請求項１〜６のいずれか１項に記載の収納箱付き展示スタンド。
【発明の詳細な説明】
【技術分野】
【０００１】
本発明は、カタログ、チラシ、商品などの内容物を配送する梱包箱として使用され、開梱後の梱包箱を、スタンド部に再利用した展示スタンドに関する。
【背景技術】
【０００２】
従来、内容物を輸送する梱包箱は、使用時には開梱された後、ゴミとして廃棄処分されていた。また内容物は、保管するもの、廃棄処分するものに分別され、保管するものについては、プラスチックケースや雑貨用ケースに収納し、すぐ観れるように生活環境の中で見渡せる場所に保管しているのが現状である。しかしケースに収納すると、内容物が乱雑になり、観るのに手間が掛かる問題があった。
【０００３】
このような状況の中、輸送された梱包箱の再利用を提案している。これは開梱後の梱包箱をスタンド型ディスプレイ用の台座に組み立てられるように再利用するものである（特許文献１）。
【０００４】
梱包箱を再利用し、スタンド型ディスプレイ用の台座に組み立てるようにした提案であるが、台座に差込んで使用する板状柱体は別に準備されているものを使用するために、板状柱体を内容物と同封する必要がある。板状柱体の手配、内容物と同封して梱包することから梱包箱が大きくなり、また梱包する手間が掛かるなどの問題がある。
【０００５】
廃棄処分される梱包箱を有効に再利用する方法が要望されている。
【先行技術文献】
【特許文献】
【０００６】
【特許文献１】特許第４２９６８５９号公報
【発明の概要】
【発明が解決しようとする課題】
【０００７】
本発明は、従来一般廃棄物として廃棄処理されていた配送用の梱包箱を、スタンド部に再利用した展示スタンドを提供することである。
【課題を解決するための手段】
【０００８】
上記の課題を解決するために、発明者らは鋭意検討を行い、本発明を完成した。
【０００９】
本発明の請求項１に係る発明は、収納箱およびスタンド部を有する展示スタンドにおいて、
該スタンド部が、該収納箱を梱包した梱包箱を開梱後、該梱包箱の一部にミシン目で囲まれて区画された領域を組み立てて形成され、
前記梱包箱が、後面板の縦方向の相対する二辺に、縦側面板と縦天面板とがそれぞれ第一折り曲げ線を介して順次連接され、横方向の相対する二辺に、横側面板と横天面板とがそれぞれ第二折り曲げ線を介して順次連接され、
少なくとも該後面板の一部を含む領域に、前記スタンド部がミシン目線で囲まれて区画され、
該スタンド部が糊代部と脚部とを有し、
前記収納箱が、背面部と収納部とから形成され、
該スタンド部の糊代部と該収納箱の背面部とが貼合され、
前記スタンド部の脚部は、前記糊代部の縦方向の相対する二辺に、第三折り曲げ線および第四折り曲げ線を介して第一脚板、第二脚板がそれぞれ連接され、第一脚板には第五折り曲げ線を介して第三脚板が、第二脚板には第六折り曲げ線を介して第四脚板が、それぞれ外側に連接されてなり、
前記第六折り曲げ線の中央部近傍には、略コの字状の切れ線が形成され、
前記第三脚板の端縁中央部近傍には外側に、前記切れ線に適合した係止部が形成されていることを特徴とする展示スタンドである。
【００１１】
本発明の請求項２に係る発明は、前記梱包箱には、さらに追加板が梱包されており、前記収納箱の背面部と該追加板が連結可能であることを特徴とする請求項１に記載の展示スタンドである。
【００１２】
本発明の請求項３に係る発明は、前記収納箱の背面部は、一枚の背面板を折り曲げ部で折り畳んで形成されており、該折り曲げ部上に１もしくは複数のスリットが形成され、前記追加板には、該スリットに適合した連結部が形成されていることを特徴とする請求項２に記載の展示スタンドである。
【００１４】
本発明の請求項４に係る発明は、前記糊代部は、縦方向の相対する二辺が、前記第三折り曲げ線および第四折り曲げ線、横方向の相対する二辺が第一ミシン目線および第二ミシン目線とで囲うように区画され、該第一ミシン目線の両端より、前記縦側面板を通過して前記縦天面板の上辺近傍の端縁まで達する第三ミシン目線がそれぞれ形成され、
該第二ミシン目線の両端より、前記縦側面板を通過して前記縦天面板の下辺近傍の端縁まで達する第四ミシン目線がそれぞれ形成され、
該第一ミシン目線とそれぞれの該第三ミシン目線の外側に第一切取り部が区画され、
該第二ミシン目線とそれぞれの該第四ミシン目線の外側に第二切取り部が区画され、
前記第三脚板および前記第四脚板の外側にミシン目線および前記係止部を介して、それぞれ第三切取り部、第四切取り部が区画されていることを特徴とする請求項３に記載の展示スタンドである。
【００１５】
本発明の請求項５に係る発明は、前記第一折り曲げ線および前記第二折り曲げ線をそれぞれ山折りし、前記縦天面板および前記横天面板を閉鎖することで梱包箱が形成され、
前記展示スタンドは、
該梱包箱を開梱後、前記第一〜第四切取り部をそれぞれ取り除き、
前記第三〜第六折り曲げ線を収納箱が貼合されている側と反対方向に折り曲げ、前記第三脚板が前記第四脚板の上になるように重ね、前記係止部を前記コの字状の切れ線に挿入し係止して組み立て形成されることを特徴とする請求項４に記載の展示スタンドである。
【００１６】
本発明の請求項６に係る発明は、前記梱包箱と前記収納箱とは、縦幅、横幅、奥行きが略同サイズであることを特徴とする請求項１〜５のいずれか１項に記載の展示スタンドである。
【００１７】
本発明の請求項７に係る発明は、前記梱包箱、前記収納箱が紙系材料からなることを特徴とする請求項１〜６のいずれか１項に記載の収納箱付き展示スタンドである。
【発明の効果】
【００１８】
本発明は、内容物を収納する収納箱とそれを梱包する梱包箱とが一体となった配送用梱包箱である。梱包箱を開梱後、折り曲げ線に沿って広げ、ミシン目線に沿って切取り部を
取り除き、スタンド部に再利用したものである。収納箱と一体化され組み立てられた展示スタンドである。一般廃棄物として廃棄処理される梱包箱を再利用した展示スタンドである。
【図面の簡単な説明】
【００１９】
【図１】本発明の梱包箱を形成するブランク（内面を示す）の一例を示す展開図である。
【図２】本発明の収納箱を形成するブランク（外面を示す）の一例を示す展開図である。
【図３】図２のブランクを組み立てた収納箱の一例を示す説明図である。
【図４】図１のブランクに収納箱を貼合した状態の一例を示す説明図である。
【図５】図４を梱包した梱包箱の一例を示す説明図である。
【図６】図５の梱包箱を開梱し、切取り部分を取り除いた一例を示す説明図である。
【図７】展示スタンドを組み立てる状態の一例を示す説明図である。
【図８】追加体の一例を示す説明図である。
【図９】図８の追加体を組み入れた展示スタンドの一例を示す説明図である。
【発明を実施するための形態】
【００２０】
以下、本発明を実施するための形態につき説明する。
【００２１】
図１は、本発明の梱包箱を形成するブランク１の一例を示す展開図である。梱包箱を形成するために、後面板２の縦方向の相対する二辺に縦側面板３と縦天面板４が第一折り曲げ線ａを介してそれぞれ順次連接されている。また横方向の相対する二辺には、横側面板５と横天面板６が第二折り曲げ線ｂを介して順次連接されている。
【００２２】
スタンド部を形成するために、糊代部７の縦方向の相対する二辺に、第三折り曲げ線および第四折り曲げ線を介して第一脚板、第二脚板がそれぞれ連接され、第一脚板には第五折り曲げ線を介して第三脚板が、第二脚板には第六折り曲げ線を介して第四脚板がそれぞれ形成されている。第六折り曲げ線の中央部近傍には、略コの字状の切れ線が形成され、第三脚板の端縁中央部近傍には外側に向けて、該切れ線に適合した係止部が形成されている。
【００２３】
糊代部は、後面板２の内面中央部に位置して下辺側に片寄した部位に糊代部７が、縦方向の相対する二辺が第三折り曲げ線ｃと第四折り曲げ線ｄ、横方向の相対する二辺が第一ミシン目線ｅ、第二ミシン目線ｆ、とで囲うように区画されている。ただし、糊代部の後面板における位置は、中央部に限定させるものでなく、収納箱の変形やデザインなどの影響により、左右にずれて位置することもある。
【００２４】
第一ミシン目線ｅの両端より、縦側面板３を通過して縦天面板４の上辺近傍の端縁まで達する第三ミシン目線ｇがそれぞれ形成されている。また第二ミシン目線ｆの両端より、縦側面板３を通過して縦天面板４の下辺近傍の端縁まで達する第四ミシン目線ｈがそれぞれ形成されている。第一ミシン目線ｅとそれぞれの第三ミシン目線ｇの外側に第一切取り部８が区画され、第二ミシン目線ｆとそれぞれの第四ミシン目線ｈの外側に第二切取り部９が区画されている。
【００２５】
第三脚板の外側にミシン目線ｋおよび係止部を介して第三切取り部が、また第四脚板の外側にミシン目線ｋを介して第四切取り部が区画されている。
【００２６】
このようにして梱包箱用のブランク１が形成される。
【００２７】
図２は、本発明の収納箱を形成するブランク３０の一例を示す展開図である。ブランクは、背面部３１、収納部３２から形成されている。該背面部を形成する背面板３３の上部
には折り曲げ部４４が形成され、該折り曲げ部に１もしくは複数のスリット３９が形成されている。該背面板の下辺には底板３４、横辺には糊代片３８が折り曲げ線ｍを介して連接され、一方の横辺には、第一側板３５、天板３６、第二側板３７が折り曲げ線ｍを介して順次連接され、それぞれの下辺には折り曲げ線ｍを介して底板３４が形成されている。天板３６の中心部近傍から上端縁までＵ字状に開口されている。Ｕ字状に開口されていると、チラシなどを収納した際に取り出し易く、またチラシのデザインなどが収納した状態でも広く観える。天板の開口形状は、特に限定されず、広告、チラシ、商品などが収納でき、収納した商品が観やすく、かつ出し入れし易い形状であればよい。また直線のままでもよい。
【００２８】
図３は、図２のブランクを組み立てた収納箱４０の一例を示す説明図である。背面板３３の上部を折り曲げ部４４で背面側に折り畳む。背面部は、一枚の背面板３３を折り畳んで形成されている。該折り曲げ部４４には、１もしくは複数のスリット３９が形成されている。糊代片３８と第二側板３７を貼り合わせ、底板３４を組み立てれば収納箱４０が形成される。ただし、ブランクの形状および組み立て方は、上述したものに限定されるものではなく、所望の収納箱が組み立てられるのであれば、適宜ブランクおよび組み立て方は適宜工夫してもよい。
【００２９】
図４は、図１のブランク１に収納箱４０を貼合した状態の一例を示す説明図である。ブランク１の糊代部７に、収納箱４０の背面部を貼合する。ブランク１の後面板２のサイズ内に納まるように収納箱４０を貼合する。梱包箱のサイズを出来る限り小さくしたい場合には、組み立てた梱包箱と収納箱とが、縦幅、横幅、奥行きが略同サイズであるようにすることがよいが、必ず略同サイズにする必要はなく、梱包する広告、チラシ、商品などの大きさに合わせたサイズで適宜設計してよい。
【００３０】
図５は、図４を梱包した梱包箱２８の一例を示す説明図である。第一折り曲げ線ａ、第二折り曲げ線ｂをそれぞれ山折して第一天面板４と第二天面板６を重ね、テープ２７で接着し収納箱を梱包した梱包箱が形成される。このような梱包箱が配送用として使用される。
【００３１】
図６は、図５の梱包箱２８を開梱し、切取り部分を取り除いた一例を示す説明図である。開梱された梱包箱を折り曲げ線に沿って広げ、まず、第一ミシン目線ｅとそれぞれの第三ミシン目線ｇを破断して第一切取り部８を取り除く。次に第二ミシン目線ｆとそれぞれの第四ミシン目線ｈを破断して第二切取り部９を取り除く。次にそれぞれのミシン目線ｋを破断して、第三切取り部１０、第四切取り部１１を取り除く。背面板３３の左右両端部には、展示スタンドを形成する脚部４３が形成される。
【００３２】
図７は、展示スタンド５０を組み立てる状態の一例を示す説明図である。第三折り曲げ線ｃ、第四折り曲げ線ｄを折り曲げ、第五折り曲げ線ｉ、第六折り曲げ線ｊを収納箱が貼合されている側と反対方向に谷折りして、第三脚板２３が第四脚板２４の上になるように重ね、係止部２５をコの字状の切れ線２６に挿入し係止して、展示スタンド５０が形成される。第一脚板２１、第二脚板２２、第三脚板、第四脚板がスタンド部２９になる。収納箱４０とスタンド部２９が一体化された展示スタンド５０である。梱包箱を再利用した環境に配慮した展示スタンド５０である。またスタンド部の形状は、円筒状、多角筒状であっても構わない。特に限定されない。
【００３３】
図８は、追加体４２の一例を示す説明図である。この追加体は、さらに梱包箱に同封されているものである。背面板の折り曲げ部の１もしくは複数のスリットに追加体４２の連結部４１を挿入することにより、背面部を更に大きくすることができる。背面部には文字情報、絵柄情報などの情報印刷ができ、情報領域を広くすることができる。また広告、チ
ラシ、商品でも大きいサイズのものが収納できる。
【００３４】
図９は、図８の追加体４１を連結した展示スタンド５０の一例を示す説明図である。チラシなどの内容物を収納する収納箱４０には、該収納箱の背面板３３にスタンド部２９が一体化されている。収納箱４０には内容物が保管され、内容物を観易く、出し入れし易い展示スタンド５０である。従来、一般廃棄物として廃棄処理されていた梱包箱をスタンド部に組み立てた展示スタンドである。また追加体４２の形状は、円形、多角形でもよく特に限定はされない。
【００３５】
更に本発明を詳しく説明する。
【００３６】
本発明の収納箱、梱包箱の材料としては、紙素材、特に機械的、物理的、化学的、その他において優れた性質を有する板紙を用いることができる。コートボールなどの各種板紙、加工紙、段ボールなどが使用できる。坪量は、特に限定はなく、収納箱、梱包箱に使用される剛性、強度を持ち合せていればよい。また、紙素材以外にも、ポリエステル基材などを用いることができ、材料は特に限定しない。
【００３７】
収納箱や梱包箱に印刷する方法としては、通常用いられるグラビア印刷方式、オフセット印刷方式、凸版印刷方式、フレキソ印刷方式、スクリーン印刷方式、インクジェット印刷方式などが可能である。
【００３８】
紙材料への折り曲げ線、ミシン目線、スリット、切込み線などを加工する方法としては、金属刃などを組み入れたトムソン抜き型を用いて行う方法や、ロータリー刃を有した金属ロールを用いて行う方法が可能である。
【００３９】
本発明の収納箱付き展示スタンドは、配送されてきたチラシ、カタログ、商品などを収納箱に収納された状態で保管できる。内容物が観易く、かつ出し入れし易い構造になっている。
【００４０】
本発明の展示スタンドは、内容物を収納した収納箱と一体化させて輸送される梱包箱を、開梱後に、展示スタンドとして再利用したものである。従来、一般廃棄物として廃棄処理されていた梱包箱を展示スタンドに再利用したものである。省資源に繋がる環境に配慮した梱包箱である。
【符号の説明】
【００４１】
１    梱包箱を形成するブランク
２    後面板
３    縦側面板
４    縦天面板
５    横側面板
６    横天面板
７    糊代部
８    第一切取り部
９    第二切取り部
１０  第三切取り部
１１  第四切取り部
２１  第一脚板
２２  第二脚板
２３  第三脚板
２４  第四脚板
２５  係止部
２６  コの字状の切れ線
２７  テープ
２８  梱包箱
２９  スタンド部
３０  収納箱を形成するブランク
３１  背面部
３２  収納部
３３  背面板
３４  底板
３５  第一側板
３６  天板
３７  第二側板
３８  糊代片
３９  スリット
４０  収納箱
４１  連結部
４２  追加体
４３  脚部
４４  折り曲げ部
５０  展示スタンド
ａ    第一折り曲げ線
ｂ    第二折り曲げ線
ｃ    第三折り曲げ線
ｄ    第四折り曲げ線
ｅ    第一ミシン目線
ｆ    第二ミシン目線
ｇ    第三ミシン目線
ｈ    第四ミシン目線
ｉ    第五折り曲げ線
ｊ    第六折り曲げ線
ｋ    ミシン目線
ｍ    折り曲げ線
【図１】
0006028324.tif 000002
【図２】
0006028324.tif 000003
【図３】
0006028324.tif 000004
【図４】
0006028324.tif 000005
【図５】
0006028324.tif 000006
【図６】
0006028324.tif 000007
【図７】
0006028324.tif 000008
【図８】
0006028324.tif 000009
【図９】
0006028324.tif 000010